(57)【特許請求の範囲】
【請求項１】
踏切道に存在する障害物を検知する踏切障害物検知装置のシステム全体としてのフェールセーフ性を実現する方法であって、
前記踏切道における物体の有無や位置を投受光により検知するセンシング機能を有する１台の物体検知センサと、前記物体検知センサから送信される物体の有無、位置、踏切警報の有無等の情報を総合判断し、踏切警報等の情報を照合し、該物体が障害物か否かを判定する論理を有する障害物検知論理部と、前記物体検知センサの検知エリア内に少なくとも１ヶ所設置された基準標と、を有し、
前記障害物検知論理部は、前記基準標の反射率や発光量の大小（強弱）の変化を制御する一方、前記物体検知センサから受信する基準標からの反射レベルが、この大小（強弱）の変化制御に応じた該センサからの反射レベルの反射光が帰還するか否かを照合し、照合がＮＧの場合にシステム異常と判断し障害物が存在する状態の出力をして安全側に遷移することを特徴とするフェールセーフ方法。
【請求項２】
障害物検知論理部は、反射率や発光量を大（強）に制御したとき、又は小（弱）に制御したときの、それぞれ物体検知センサから受信した基準標からの反射レベルと、それぞれ過去Ｎ回の移動平均値とを比較し、それぞれ許容値内にないときには、システム異常と判断し障害物が存在する状態の出力をして安全側に遷移する請求項１に記載のフェールセーフ方法。
【請求項３】
障害物検知論理部は、踏切障害物検知装置を新設し運用開始時に、反射率や発光量を大（強）に制御したときに物体検知センサから受信した基準標からの反射レベルの過去Ｎ回の移動平均値と、小（弱）に制御したときの基準標からの反射レベルの過去Ｎ回の移動平均値との差を初期値として記憶し、同じく運用時の大小（強弱）制御時の反射レベルの差と初期値として記憶した差とを比較し、許容値内にないときには、システム異常と判断し障害物が存在する状態の出力をして安全側に遷移する請求項１に記載のフェールセーフ方法。
【請求項４】
基準標は、障害物検知論理部を設置した鉄道線路の反対側の線路の外側で、踏切道近くの位置に線路に並行し、その反射面が物体検知センサと対向するように設けられ、踏切警報が開始され列車が踏切道に到来するまでの間、反射レベルの大（強）小（弱）の変化制御による照合を行う請求項１ないし３のいずれかに記載のフェールセーフ方法。
【請求項５】
障害物検知論理部の設置位置の反対側の線路の外側で、踏切道を斜めに横断する位置で、反射面を物体検知センサと対向する位置に第２の基準標を設け、踏切警報が開始され、踏切遮断機が降下し、踏切道を通行する人や自動車がなくなる時機から、列車が踏切道に到来するまでの時機までの間、大（強）小（弱）の変化制御による照合を行う多重系構成にする請求項１ないし４のいずれかに記載のフェールセーフ方法。
【請求項６】
第２の基準標は、一定の反射率をもち、基準標の位置（座標）のズレのみを照合する補助的な役割をもった反射材である請求項５に記載のフェールセーフ方法。
【発明の詳細な説明】
【技術分野】
【０００１】
この発明は、踏切道に存在する自動車等の障害物を検知する踏切障害物検知装置のフェールセーフ方法に関し、特に装置に何らかの異常が発生した場合でも装置全体を安全側に動作させるフェールセーフ性を実現する技術に係るものである。
【背景技術】
【０００２】
このような踏切障害物検知装置としては、これまで各種の方式が開発され、実用化されている。その主なものとしては、発光ダイオード（ＬＥＤ）やレーザダイオード（ＬＤ）が発する近赤外領域の光線を投受光器間で踏切道内に張り巡らし、自動車等の障害物によりこの光線が一定時間遮断されたことを検知する光電式や、踏切道の舗装内にループ状の電線（コイル）を埋め込んで発振回路の一部とし、そこへ自動車等の金属物が接近することによりインダクタンスが変化することを捉えて障害物を検知するループコイル式などがある。
【０００３】
また、この他にも、出願人が先に提案した特開２０１４−８６３に記載したようなものがある（特許文献１）。この特許文献１に記載の踏切障害物検知装置は、概ね特許請求の範囲に記載されているような内容からなるものである。要約すると、汎用性及び量産性の高い２台の物体検知センサと、この２台の物体検知センサから得られる障害物の有無の情報等を照合することによりフェールセーフ性を確保するとともに、障害物の有無を判定するフェールセーフな照合機構と、基準標とを備え、２台の物体検知センサ及び照合機構には、それぞれＧＰＳアンテナと同受信機が取り付けられ、２台の物体検知センサは、踏切道上の物体（人や自動車など）の有無の情報とともに、ＧＰＳから受信した時刻情報をも照合機構へ送信し、照合機構は、自らがＧＰＳから受信した時刻と、２台の物体検知センサから受信した時刻が一致していることを照合するとともに、これらの時刻情報に基づき、同期処理の同期をとり、これにより、一層フェールセーフ性を高めるものである（請求項１，２）。
【０００４】
また、物体検知センサが検知する検知エリアに少なくとも一箇所に基準標が設置され、各物体検知センサから見た設置位置（座標値）や設置角度、及び基準標からの反射レベルが、予め照合機構に物体検知センサ毎の初期値として記憶され、照合機構は、各物体検知センサから受信した基準標の座標位置及び反射レベルを、初期値と比較し、それぞれが許容値内にあるかを照合し、これにより、更にフェールセーフ性を高めるものである（請求項３，４）。
【先行技術文献】
【特許文献】
【０００５】
【特許文献１】特開２０１４−８６３号公報
【発明の概要】
【発明が解決しようとする課題】
【０００６】
ところで、前記特許文献１に記載の踏切障害物検知装置は、対象の検知エリアが狭く、物体検知センサの検知性能上は、１台の物体検知センサで検知できる場合においても、障害物の有無を照合する必要があるために、２台の物体検知センサが必須となる。稼働性を上げるため、また、価格、保全費用を低減するためには、１台の物体検知センサでフェールセーフを実現することが望まれる。
【０００７】
また、物体検知センサにＧＰＳのアンテナと受信機を取り付け、受信したＧＰＳの情報から時刻情報を抽出し、照合機構に送信することは、他の多くの装置でも広く行われていることではあるが、汎用性及び量産性の高い物体検知センサを改修、手を入れることには変わりがなく、日進月歩の技術で、モデルチェンジのスピードが速い物体検知センサ毎に、改修することは負担となる。したがって、汎用性及び量産性の高い物体検知センサに、一切、手を入れることなく、そのまま使用できることが望まれる。
【０００８】
さらに、基準標に関していえば、照合機構は、各物体検知センサから受信した反射レベルを、初期値と比較し、それぞれが許容値内にあることを照合するが、濃霧や降雨・降雪により、許容値を超える場合には、システム異常と判定しシステム停止となる。したがって、濃霧や降雨・降雪、及び初期値を設定するときの天候などの周囲環境の影響を受けない方式が望まれる。また、線検知方式や面（２次元）検知方式の場合には、レーザ光の、レールの上面（踏頂面）からの高さは標準７４５ｍｍ程度である。この高さでは、踏切道を通行する人や自動車、及び踏切道に到達し通過する列車がレーザ光を遮ることになる。したがって、物体検知センサと基準標の設置位置関係によっては、基準標が見えない状態になり、システム異常と判定しシステム停止となるので、物体検知センサと基準標の設置位置関係についての制約があり、工夫が必要となる。
【０００９】
前記のような従来の課題に鑑み、この発明は、次のような点に解決すべき課題をもったフェールセーフ方法を実現するものである。
（１）２台の物体検知センサを必須としない。
（２）汎用の物体検知センサには、一切、手を加えない。従って、物体検知センサが変わっても、何らの改修をせずに対応できる。
（３）物体検知センサと基準標の設置位置を特定できる。
（４）基準標からの反射レベルの照合に関して、周囲環境に影響を受けない。
【００１０】
すなわち、この発明は、前記の課題（１）〜（４）を解決し、汎用性のある１台の物体検知センサと新規な基準標を用いて、フェールセーフ性を実現することのできる踏切障害物検知装置のフェールセーフ方法を提供することを目的とする。
【課題を解決するための手段】
【００１１】
前記の目的を達成するために、請求項１に記載の発明は、踏切道に存在する障害物を検知する踏切障害物検知装置のシステム全体としてのフェールセーフ性を実現する方法であって、前記踏切道における物体の有無や位置を投受光により検知するセンシング機能を有する１台の物体検知センサと、前記物体検知センサから送信される物体の有無、位置、及び図示しないが別途の踏切制御装置から入力する踏切警報の有無等の情報を総合判断し、該物体が障害物か否かを判定する論理を有する障害物検知論理部と、前記物体検知センサの検知エリア内に少なくとも１ヶ所設置された基準標と、を有し、前記障害物検知論理部は、前記基準標の反射率や発光量の大小（強弱）の変化を制御する一方、前記物体検知センサから受信する基準標からの反射レベルが、この大小（強弱）の変化制御に応じた該センサからの反射レベルの反射光が帰還するか否かを照合し、照合がＮＧの場合にシステム異常と判断し障害物が存在する状態の出力をして安全側に遷移することを特徴とする。
【００１２】
請求項２に記載の発明は、請求項１において、障害物検知論理部は、反射率や発光量を大（強）に制御したとき、又は小（弱）に制御したときの、それぞれ物体検知センサから受信した基準標からの反射レベルと、それぞれ過去Ｎ回の移動平均値とを比較し、それぞれ許容値内にないときには、システム異常と判断し障害物が存在する状態の出力をして安全側に遷移することを特徴とする。
【００１３】
請求項３に記載の発明は、請求項１において、障害物検知論理部は、踏切障害物検知装置を新設し運用開始時に、反射率や発光量を大（強）に制御したときに物体検知センサから受信した基準標からの反射レベルの過去Ｎ回の移動平均値と、小（弱）に制御したときの基準標からの反射レベルの過去Ｎ回の移動平均値との差を初期値として記憶し、同じく運用時の大小（強弱）制御時の反射レベルの差と初期値として記憶した差とを比較し、許容値内にないときには、システム異常と判断し障害物が存在する状態の出力をして安全側に遷移することを特徴とする。
【００１４】
請求項４に記載の発明は、請求項１ないし３のいずれかにおいて、基準標は、障害物検知論理部を設置した鉄道線路の反対側の線路の外側で、踏切道近くの位置に線路に並行し、その反射面が物体検知センサと対向するように設けられ、踏切警報が開始され列車が踏切道に到来するまでの間、反射レベルの大（強）小（弱）の変化制御による照合を行うことを特徴とする。
【００１５】
請求項５に記載の発明は、請求項１ないし４のいずれかにおいて、障害物検知論理部の設置位置の反対側の線路の外側で、踏切道を斜めに横断する位置で、反射面を物体検知センサと対向する位置に第２の基準標を設け、踏切警報が開始され、踏切遮断機が降下し、踏切道を通行する人や自動車がなくなる時機から、列車が踏切道に到来するまでの時機までの間、大（強）小（弱）の変化制御による照合を行う多重系構成にすることを特徴とする。
【００１６】
請求項６に記載の発明は、請求項５において、第２の基準標は、一定の反射率をもち、基準標の位置（座標）のズレのみを照合する補助的な役割をもった反射材であることを特徴とする。
【発明の効果】
【００１７】
この発明は、前記のようであって、請求項１に記載の発明によれば、踏切道における物体の有無や位置を投受光により検知するセンシング機能を有する１台の物体検知センサと、前記物体検知センサから送信される物体の有無、位置、及び図示しないが別途の踏切制御装置から入力する踏切警報の有無等の情報を総合判断し、該物体が障害物か否かを判定する論理を有する障害物検知論理部と、前記物体検知センサの検知エリア内に少なくとも１ヶ所設置された基準標と、を有し、前記障害物検知論理部は、前記基準標の反射率や発光量の大小（強弱）の変化を制御する一方、前記物体検知センサから受信する基準標からの反射レベルが、この大小（強弱）の変化制御に応じた該センサからの反射レベルの反射光が帰還するか否かを照合し、照合がＮＧの場合にシステム異常と判断し障害物が存在する状態の出力をして安全側に遷移するので、汎用性のある１台の物体検知センサと基準標を用いて、フェールセーフ性を実現することができる。しかも、汎用の物体検知センサには、一切、手を加えず（何らの改修をせず）に、基準標のみで対応することができるという効果がある。
【００１８】
請求項２に記載の発明によれば、障害物検知論理部は、反射率や発光量を大（強）に制御したとき、又は小（弱）に制御したときの、それぞれ物体検知センサから受信した基準標からの反射レベルと、それぞれ過去Ｎ回の移動平均値とを比較し、それぞれ許容値内にないときには、システム異常と判断し障害物が存在する状態の出力をして安全側に遷移するので、その都度、その時点の移動平均値と比較することにより、何等かの原因により突出した値を排除できることと、徐々に変化する環境変化に追従した判定ができるメリットがある。
【００１９】
請求項３に記載の発明によれば、障害物検知論理部は、踏切障害物検知装置を新設し運用開始時に、反射率や発光量を大（強）に制御したときに物体検知センサから受信した基準標からの反射レベルの過去Ｎ回の移動平均値と、小（弱）に制御したときの基準標からの反射レベルの過去Ｎ回の移動平均値との差を初期値として記憶し、同じく運用時の大小（強弱）制御時の反射レベルの差と初期値として記憶した差とを比較し、許容値内にないときには、システム異常と判断し障害物が存在する状態の出力をして安全側に遷移するので、大制御時、小制御時の反射レベルは、それぞれ、濃霧などの周囲環境により変化するが、大小の差（幅）は、環境変化があっても一定であり、健全性照合の閾値として、大小（強弱）の差を採用することにより、周囲環境の影響を受けないものとすることができる。
【００２０】
請求項４に記載の発明によれば、基準標は、障害物検知論理部を設置した鉄道線路の反対側の線路の外側で、踏切道近くの位置に線路に並行し、その反射面が物体検知センサと対向するように設けられ、この設置位置は障害物検知論理部と物体検知センサの間の投受光の道筋が踏切道から外れているために、踏切道を通行する人や自動車の影響を受けずにシステムの健全性（フェールセーフ性）を判定することができる。また、反射レベルの大（強）小（弱）の変化制御による照合を行う時機を制限する、すなわち踏切警報が開始され列車が踏切道に到来するまでの間に変化制御による照合を行う、逆に列車が踏切道に到来した以降は変化制御による照合を行わないことにより列車の影響を受けないという効果がある。
【００２１】
請求項５に記載の発明によれば、障害物検知論理部の設置位置の反対側の線路の外側で、踏切道を斜めに横断する位置で、反射面を物体検知センサと対向する位置に第２の基準標を設け、この設置位置は障害物検知論理部と物体検知センサの間の投受光の道筋が踏切道上を斜めに横断し、踏切道を通行する人や自動車の影響を受けるので、反射レベルの大（強）小（弱）の変化制御による照合を行う時機を制限する、すなわち踏切警報が開始され、踏切遮断機が降下し、踏切道を通行する人や自動車がなくなる時機から、列車が踏切道に到来するまでの時機までの間に、大（強）小（弱）の変化制御による照合を行うことにより、踏切道を通行する人や自動車及び列車の影響を受けずに、この照合の期間は、第１の基準標と合わせて２重で照合することになるので、フェールセーフ性をより確実なものにすることができる。
【００２２】
請求項６に記載の発明によれば、第２の基準標の役割は補助的なものであるので、反射率あるいは投光量を大小あるいは強弱の変化制御に応じた該センサからの反射レベルの反射光が帰還するか否かを照合する機能を取り止め、基準標の位置（座標）を照合する機能に限定することにすると、一定の反射率をもった反射板でよく、変化制御を行うための制御ケーブルの敷設を省略することが可能であり、導入コスト、保全コストの低減を図ることができる。
【図面の簡単な説明】
【００２３】
【図１】この発明の一実施の形態に係る踏切障害物検知装置の構成と配置を示す概略図である。
【図２】同上の踏切障害物検知装置を構成する各部の機能ブロック図である。
【図３】スキャニングのサイクルの制御パターン表である。
【図４】第１の基準標の照合期間を説明する図面である。
【図５】第２の基準標の照合期間を説明する図面である。
【図６】基準標からの反射レベルの追従性の照合についてのフローチャートである。
【図７】同上のＯＮ制御処理フローチャートである。
【図８】同上のＯＦＦ制御処理フローチャートである。
【図９】基準標に対する変化制御に応じた反射レベルのレベル差の初期値との照合についてのフローチャートである。
【発明を実施するための形態】
【００２４】
この発明の実施の形態に係る踏切障害物検知装置では、踏切道内に取り残された障害物を検知するための手段として、物体のセンシング機能を有する物体検知センサを１台使用する。この物体検知センサとしては、例えば自動車産業において衝突防止や道路横断者検知などの用途で実用化されている物体検知センサ、あるいは不法侵入者を検知する防犯用の物体検知センサを用いることができる。
【００２５】
一方、踏切障害物検知装置としては、物体検知センサが検知した物体が踏切道内に取り残された障害物か否かを最終的に判定する（踏切障害物検知装置としての本来機能・論理である）ためと、この発明においては踏切障害物検知装置としてのフェールセーフ性を実現するために、物体検知センサとは独立した制御手段として障害物検知論理部が設けられ、この障害物検知論理部は、フェールセーフ性のマイコンにより構成される。フェールセーフ性のマイコンの詳細な説明は、この発明の主題ではないので省略するが、概要を述べると、自己診断機能を有し異常を検知した場合には当該システムを安全側、踏切障害物検知装置においては、「障害物あり」の状態に遷移し、図示しないが別途の特殊信号発光機に停止信号を現示し、踏切道に接近してくる列車を停止させる。同様に、ノンフェールセーフな物体検知センサを含めた踏切障害物検知装置全体としてのフェールセーフ性を実現するために、この発明の論理（勿論、バクがないとの前提）により異常を確実に検知し、この異常を検知した場合においても確実に「障害物あり」の状態に遷移するものである。障害物検知論理部の機能は、物体検知センサから送信される物体の有無、位置、及び図示しないが別途の踏切制御装置から入力する踏切警報の有無等の情報を総合判断し該物体が障害物か否かを判定し、「障害物あり」を出力する障害物判定論理部と、踏切障害物検知装置全体としてのフェールセーフ性を実現するフェールセーフ判定論理部より構成される。
【００２６】
以下、図面を参照しながら、踏切障害物検知装置に係る具体的な構成について説明する。
【００２７】
図１において、１は踏切障害物検知装置であり、この踏切障害物検知装置１は、踏切道上に存在する物体（人や自動車）を検知する物体検知センサ２と、これら物体検知センサ２とケーブルで接続され、該センサから送信される情報等を総合し、障害物であるのか否かの判定を行う踏切障害物検知装置としての本来機能・論理と、物体検知センサを含めた踏切障害物検知装置全体としてのフェールセーフ性を実現するための機能・論理とを有する障害物検知論理部３と、線路を挟んで踏切道の脇に設置した第１の基準標５及び第２の基準標６と、を有している。７は障害物検知論理部３と基準標５とを接続しているケーブルである。
【００２８】
物体検知センサ２は、２次元レーザレーダからなり、主にその前方における物体（基準標も含む）の有無をスキャニングして検知する機能を有している。スキャニングエリアは図１に示す通りであり、同図で斜線部が障害物検知エリアとなる。スキャニングに際して、センサ２からは線路のレール上面から標準的に高さ７４５ｍｍの位置で、レーザ光を２５ｍ以上、平面上の１５０〜１８０度の角度に、１５０〜２５０ｍｓの周期でスキャンニング投光する。そして障害物検知エリアに存在する物体からの反射光を受光し、当該物体の位置（センサから見た座標）、反射レベル（強度）を、障害物検知論理部３に送信する。すなわち、物体検知センサ２は、図示省略しているが、物体検知のためのレーザ光を発光してその反射光を受光するセンサ部と、このセンサ部が受光した反射光の周波数やレベル（強度）の変化などを解析して、センサ２の前方に物体が存在しているか否かを判別するマイクロコンピュータなどの処理部と、を有している。
【００２９】
障害物検知論理部３は、図２に示すようにフェールセーフ性のマイコンにより構成され、次の２つの機能（論理）を有する。１つの機能は障害物判定論理部１０、もうひとつの機能はフェールセーフ判定論理部１１である。
【００３０】
障害物判定論理部１０は下記（１）〜（３）の全ての要件を満たした場合には、論理的に「障害物あり」の状態に遷移し、この結果により、図示しない特殊信号発光機に停止信号を現示し、踏切道に接近してくる列車を停止させる。
（１）スキャンニングのサイクル毎に、物体検知センサ２から受信した物体の位置（座標）から、当該物体が踏切道上の検知エリア内に存在するものか否を判断し、その結果、踏切道上に存在すること。
（２）検知した物体が踏切道上に所定の時間以上、滞留しているものであるか否を判断し、その結果、滞留するものであること。
（３）踏切警報が行われていること。
なお、障害物判定論理部１０における障害物判定の論理については公知の技術であることと、この発明の主題ではないために、ここでの詳細説明は省略する。
【００３１】
フェールセーフ判定論理部１１は、次の論理により、ノンフェールセーフな物体検知センサ２を含め、システム全体として、踏切障害物検知装置１のフェールセーフ性を確保する。
【００３２】
＜初期値の設定、記憶＞
フェールセーフ判定論理部１１は、踏切障害物検知装置１を設置した運用開始時、あるいは運用後に「初期値設定」の入力があれば、基準標５，６の位置（座標）情報、変化制御に伴う反射レベルの差ＳＤの値を初期値として記憶するが、この初期値の設定は次のようにして行う。まずＯＮ制御時の反射レベルの移動平均ＳＨaveを求め、それと同時に基準標５，６の位置（座標）の平均値ＨＳＰを求める。次にＯＦＦ制御時の反射レベルの移動平均ＳＬaveを求め、それと同時に基準標５，６の位置（座標）の平均値ＬＳＰを求める。そしてＯＮ制御時とＯＦＦ制御時の反射レベルの差ＳＤ（Ｈave−Ｌave）を求め、その差ＳＤをレベル差の初期値として不揮発性メモリに記憶するとともに、基準標５，６の位置（座標）に関して、ＨＳＰとＬＳＰの平均を求め、基準標５，６の位置（座標）の初期値ＳＰとして不揮発性メモリに記憶する。
【００３３】
＜基準標の反射率、あるいは基準標の発光量をランダムに変化制御＞
基準標５，６の反射率、あるいは基準標の発光量をランダムに変化制御について説明する。基準標５，６の材質を、例えば液晶として構成した場合には、フェールセーフ判定論理部１１から液晶に印加する電圧を、ランダムにＯＮ／ＯＦＦ（大／小）制御することにより反射率を変化させる。また、基準標５，６の材質を物体検知センサ２からのレーザ光と同じ波長を発光する発光体（例えば、近赤外線ヒータ）として構成した場合には、フェールセーフ判定論理部１１から発光体の電源をランダムにＯＮ／ＯＦＦ（大／小）制御することにより発光量を変化させる。そしてスキャンニングのどのサイクル時に、ＯＮ制御／ＯＦＦ制御するかを決めた「制御パターン表」を予め用意しておく。制御のパターン表は、例えば図３に示したようなものである。
【００３４】
例に示した制御パターン表においては、スキャニングのサイクNo.１〜２０までを繰り返す。サイクルNo.毎にＯＮ／ＯＦＦ（大小）の制御を決めている。No.１〜２０までの間にＯＮ、ＯＦＦの時機はランダムであるが、数は同じ回数を割り与える。
【００３５】
そしてＯＮ制御時に反射レベルが、ＯＮ制御時の直近の移動平均値Ｈaveに対して、その許容範囲を例えば±２とすると、±２以内ならＯＮ制御に追従しているものと判断し、その値を採用して新たな移動平均を求める対象とする。±２を超える場合はＮＧとして破棄し、移動平均算出には使用しない。また、ＯＦＦ制御時に反射レベルが、ＯＦＦ制御時の直近の移動平均値も同じくＬave±２なら、ＯＦＦ制御に追従しているものと判断し、その値を採用して新たな移動平均を求める対象とする。±２を超える場合はＮＧとして破棄し、移動平均算出には使用しない。
【００３６】
＜反射レベルの移動平均の算出＞
反射レベルの移動平均の算出について説明する。フェールセーフ判定論理部１１は、スキャンニングのサイクル毎に、ＯＮ制御した直近のＮ回（例えば３）のサイクル時の反射レベルＨの移動平均Ｈaveを求めて記憶する。今回受信したＯＮ制御時の反射レベルが、この時点の移動平均値Ｈaveと比べ、許容範囲内であれば、この反射レベルを採用し、これを対象として新たに移動平均を求め、これを移動平均値Ｈaveとする。反射レベルが許容範囲外であれば、この値を破棄する。
【００３７】
また、スキャンニングのサイクル毎に、ＯＦＦ制御した直近のＮ回のスキャンニング時の反射レベルの移動平均Ｌaveを求めて記憶する。今回受信したＯＦＦ制御時の反射レベルが、この時点の移動平均値Laveと比べ、許容範囲内であれば、この反射レベルを採用し、これを対象として新たに移動平均を求め、これを移動平均値Ｌaveとする。反射レベルが許容範囲外であれば、この値を破棄する。
【００３８】
＜ランダムな変化制御に伴う反射レベルの差＞
ランダムな変化制御に伴う反射レベルの差について説明する。フェールセーフ判定論理部１１から基準標５，６をＯＮ（大（強））に制御したときの基準標５，６から物体検知センサ２への反射レベルＨは、ＯＦＦ（小（弱））制御したときの反射レベルＬより大きい。濃霧などの周囲環境により、Ｈ、Ｌはそれぞれ変化するが、そのときどきのＨとＬの差Ｄは一定である。
【００３９】
＜踏切警報開始経過時間の算出＞
踏切警報開始経過時間の算出について説明する。踏切警報が開始してからの時間を計数し、予め指定された時間が経過したことを監視する。すなわち、遮断完了は、遮断機が降下し、道路通行が遮断される時機で、警報開始後、約１５〜２０秒の時間で、踏切毎に指定する。列車到達は、列車が踏切道に到来する時機で、警報開始後、約３０〜４０秒の時間で、踏切毎に指定する。基準標５の場合、照合期間の判断は、図４に示すように警報開始後、列車が踏切道に到達する時間（約３０〜４０秒指定する）が経過したか否かで行う。また、基準標６の場合、照合期間の判断は、図５に示すように警報開始後、遮断完了する時間（約１５〜２０秒指定する）が経過したか否かで行い、さらに経過したときは警報開始後、列車が踏切道に到達する時間（約３０〜４０秒指定する）が経過したか否かで行う。
【００４０】
基準標５，６は、物体検知センサ２のセンサ部から発光されたレーザ光を反射する、いわゆる反射板としての機能を有し、センサ２では、その反射光のレベル（強度）の減衰などを確認することができる。基準標５，６は、いずれも縦横５００ｍｍ、厚さ数センチ程度の板状の反射体で、図１に示すように、基準標５はセンサ２に対して線路を挟んでその外側の踏切道脇に配置され、基準標６はセンサ２に対して線路を挟んでその外側の踏切道脇であって基準標５とは踏切道を挟んで反対側の位置に斜め配置され、基準標５，６の中心の高さがレール上面から７４５ｍｍ、反射面がセンサ２に対向するように設置する。
【００４１】
基準標５，６は、フェールセーフ判定論理部１１の変化制御に応じた該センサからの反射レベルの反射光が帰還するか否かを照合することにより、フェールセーフ性を実現することを目的として、反射率は一定でなく、フェールセーフ判定論理部１１からの変化制御により、例えば材質を液晶として構成した場合にはフェールセーフ判定論理部１１から液晶に印加する電圧を、ランダムにＯＮ／ＯＦＦすることにより反射率を変化させ、センサ２からのレーザ光と同じ波長を発光する発光体（例えば、近赤外線ヒータ）として構成した場合には障害物検知論理部３から、この発光体の電源をランダムにＯＮ／ＯＦＦすることにより発光量を変化させるようになっている。このランダムＯＮ／ＯＦＦにより発光量を変化させる制御は雪の付着防止として有効である。
【００４２】
また、基準標５，６は、物体検知センサ２の設置位置や設置角度などが正常であることを確認する手段としても用いられ、前述の照合機能とあわせフェールセーフ性を実現する。すなわち、基準標５，６は、検知エリアにおける位置情報の基準点としても機能し、この基準点の検知エリアにおける座標情報が障害物検知論理部３に初期値として予め記憶される。そしてこの初期値と、物体検知センサ２が逐次取得した基準標５，６の座標値との差を障害物検知論理部３において算出することにより、物体検知センサ２の設置位置や設置角度が何らかの原因でズレたりしていないかを確認することができる。基準標６は、基準標５とは違い、補助的なものであるので、反射率あるいは投光量を大小あるいは強弱の変化制御に応じた該センサからの反射レベルの反射光が帰還するか否かを照合する機能を取り止め、基準標の位置（座標）を照合する機能に限定することにすることも可能であり、この場合には、一定の反射率をもった反射板でよく、変化制御を行うための制御ケーブルの敷設を省略することが可能であり、導入コスト、保全コストの低減を図ることができる。
【００４３】
基準標５，６の使い分けとしては、下りあるいは上り線路を走行する列車が踏切道に到達する直前（警報開始から３０〜４０秒後で、踏切毎に指定される）までの照合を基準標５で行い、遮断完了（１５〜２０秒後で、踏切毎に指定される）から、同列車が踏切道に到達する直前までの照合を基準標６をも加えて２重で行う。照合の論理は同じである。
【００４４】
＜フェールセーフ判定の詳細＞
フェールセーフ判定論理部１１では、スキャンニングのサイクル毎に、物体検知センサ２から得られる基準標５，６に関する、ＯＮ／ＯＦＦ（大小(強弱））制御に応じてレーザ光の反射レベルが大小(強弱）変化に追従性しているか否かの照合、あるいはＯＮ／ＯＦＦ制御に伴う反射レベルの差Ｄが初期値と一致しているか否かの照合、及び基準標の位置（座標）が初期値と一致しているか否かの照合、と３つの照合を行う。以下、障害物検知論理部３のフェールセーフ判定論理部１１による照合処理について、図６〜９のフローチャートに基づき説明する。
【００４５】
（１）基準標からの反射レベルの追従性の照合
図６に示すように、まず図３に示した制御パターン表からサイクル数Ｎ（Ｎ＝１〜２０を循環する）を抽出する（ステップ０１）。この場合、現時点をＮサイクルとする。次に抽出したサイクル数Ｎが照合期間中か否かを照合する（ステップ０２）。そして抽出したサイクル数Ｎが照合期間中であれば、当該ＮサイクルはＯＮ制御期間か否かを照合する（ステップ０３）。ＯＮ制御期間であればＯＮ制御処理を行う（ステップ０４）。ＯＮ制御処理を行った後は、サイクル数を＋１更新（Ｎ＋１サイクル）とする（ステップ０５）。更新した後はステップ０１に戻り、以後も同じ処理を繰り返す。ステップ０２で抽出したサイクル数Ｎが照合期間中でなければ処理をスキップして次のサイクルのステップ０５へ進む。また、ステップ０３でＯＮ制御期間でなければＯＦＦ制御処理を行う（ステップ０６）。そしてＯＦＦ制御処理後、ステップ０５へ進む。
【００４６】
前記のＯＮ制御処理は、図７に示すフローに従い行う。すなわち、フェールセーフ判定論理部１１が基準標５，６をＯＮ（大）制御し、その時点の反射レベルが、その時点のＯＮ（大）制御における移動平均Ｈaveの許容範囲内であるか否かを照合する（ステップ０１，０２）。反射レベルが許容範囲内であれば、ＯＮ制御時のレベル照合結果を登録するメモリにＯＫと上書きするとともに、最新の状態として登録、更新する（ステップ０３）。そしてこの反射レベルを採用し、移動平均Ｈaveを更新する（ステップ０４）。その後、基準標５，６の位置（座標）が初期値の許容範囲内か否かを照合する（ステップ０５）。基準標５，６の位置（座標）が初期値の許容範囲内であればＯＮ制御時の位置照合結果を登録するメモリにＯＫと上書きするとともに、システム正常（ＯＮ制御時のレベル及び位置（座標）の両方に合格した）と判断して終了する（ステップ０６，０７）。
【００４７】
ステップ０２において反射レベルが許容範囲内でなければ、ＯＮ制御時のレベル照合結果を登録するメモリにＮＧと上書きするとともに、最新の状態として登録、更新する（ステップ０８）。そして次にＯＦＦ制御のレベル照合結果を登録するメモリにＮＧが登録されているか否かを照合する（ステップ０９）。ＮＧが登録されていればシステム異常（ＯＦＦ制御時及びＯＮ制御時の両方のサイクルにおいて追従性の照合ＮＧのため）と判断して終了する（ステップ１０）。ステップ０９においてＮＧが登録されていなければシステムの健全性の判断を保留し、これ以降のサイクルに委ねる。さらにステップ０５において基準標５，６の位置（座標）が初期値の許容範囲内でなければＯＮ制御時の位置照合結果を登録するメモリにＮＧと上書きする（ステップ１１）。そして次にＯＦＦ制御時の位置照合結果を登録するメモリにＮＧが登録されているか否かを照合する（ステップ１２）。ＮＧが登録されていればシステム異常と判断する（ステップ１３）。ＮＧが登録されていなければシステムの健全性の判断を保留し、これ以降のサイクルに委ねる。
【００４８】
前記のＯＦＦ制御処理は、ＯＮ制御処理に準じ、図８に示すフローに従い行う。すなわち、フェールセーフ判定論理部１１が基準標５，６をＯＦＦ（小）制御し、その時点の反射レベルが、その時点のＯＦＦ（小）制御における移動平均Ｌaveの許容範囲内であるか否かを照合する（ステップ０１，０２）。反射レベルが許容範囲内であればＯＦＦ制御時のレベル照合結果を登録するメモリにＯＫと上書きするとともに、最新の状態として登録、更新する（ステップ０３）。そしてこの反射レベルを採用し、移動平均Ｌaveを更新する（ステップ０４）。その後、基準標５，６の位置（座標）が初期値の許容範囲内か否かを照合する（ステップ０５）。基準標５，６の位置（座標）が初期値の許容範囲内であればＯＦＦ制御時の位置照合結果を登録するメモリにＯＫと上書きするとともに、システム正常と判断して終了する（ステップ０６，０７）。
【００４９】
ステップ０２において反射レベルが許容範囲内でなければＯＦＦ制御時のレベル照合結果を登録するメモリにＮＧと上書きするとともに、最新の状態として登録、更新する（ステップ０８）。そして次にＯＮ制御のレベル照合結果を登録するメモリにＮＧが登録されているか否かを照合する（ステップ０９）。ＮＧが登録されていればシステム異常と判断して終了する（ステップ１０）。ステップ０９においてＮＧが登録されていなければシステムの健全性の判断を保留し、これ以降のサイクルに委ねる。さらにステップ０５において基準標５，６の位置（座標）が初期値の許容範囲内でなければＯＦＦ制御時の位置照合結果を登録するメモリにＮＧと上書きする（ステップ１１）。そして次にＯＮ制御時の位置照合結果を登録するメモリにＮＧが登録されているか否かを照合する（ステップ１２）。ＮＧが登録されていればシステム異常と判断する（ステップ１３）。ＮＧが登録されていなければシステムの健全性の判断を保留し、これ以降のサイクルに委ねる。
【００５０】
前記のようにしてＯＮ制御時、及びＯＦＦ制御時とも、照合ＮＧの場合には、システム異常と判断する。また、一方がＮＧの場合には、次のサイクルにおいて、ＮＧとなったＯＮあるいはＯＦＦ制御時に連続してＮＧの場合には、システム異常と判断する。この追従性の照合の場合には、移動平均値と比較することにより、何等かの原因により突出した値を排除できることと、徐々に変化する環境変化に追従した判定ができるメリットがある。
【００５１】
（２）基準標に対する変化制御に応じた反射レベルのレベル差の初期値との照合
図９に示すように、制御パターン表からサイクル数Ｎ（Ｎ＝１〜２０を循環する）を抽出する（ステップ０１）。そして抽出したサイクル数Ｎが照合期間中か否かを照合する（ステップ０２）。サイクル数Ｎが照合期間中であれば、次に当該ＮサイクルはＯＮ（大）制御期間か否かを照合する（ステップ０３）。Ｎサイクルが制御期間中であれば基準標５，６をＯＮ（大）制御する（ステップ０４）。そしてＯＮ制御時の反射レベルＨを登録メモリに、このレベルＨを上書きするとともに、最新の状態として登録、更新する（ステップ０５）。次にＯＮ制御時の反射レベルＨと直近のＯＦＦ制御時に登録した反射レベルＬとの差（Ｄ＝Ｈ−Ｌ）を求める（ステップ０６）。そしてこの差Ｄがレベル差の初期値ＳＤの許容範囲内か否かを照合する（ステップ０７）。差Ｄが許容範囲内であればレベル差の照合結果を登録するメモリにＯＫと上書きするとともに、最新の状態として登録、更新する。そしてレベル差の照合に合格したと判断する（ステップ０８，０９）。次に基準標５，６の位置（座標）が初期値（ＳＰ）の許容範囲内か否かを照合する（ステップ１０）。基準標５，６の位置（座標）が許容範囲内であれば位置照合結果を登録するメモリにＯＫと上書きするとともに、最新の状態として登録、更新する。そしてシステム正常と判断する。（ステップ１１，１２）。そしてサイクル数を＋１更新して、（Ｎ＋１）サイクルとする（ステップ１３）。
【００５２】
ステップ０２においてサイクル数Ｎが照合期間内でなければそれ以降の処理をスキップして次のサイクルへ進む。ステップ０３においてサイクル数ＮがＯＮ（大）制御期間内でなければ基準標５，６をＯＦＦ（小）制御する（ステップ１４）。そしてＯＦＦ制御時の反射レベルＬを登録するメモリにこのＬを上書きするとともに、最新の状態として登録、更新して（ステップ１５）、ステップ０６へ進む。ステップ０７において差Ｄが許容範囲内でなければレベル差の照合結果を登録するメモリにＮＧが登録されているか否かを照合する（ステップ１６）。ＮＧが登録されていればシステム異常（２回連続してレベル差の照合に不合格のため）と判断して終了する（ステップ１７）。ＮＧが登録されていなければシステムの健全性の判断を保留し、それ以降の処理をスキップして次のサイクルへ進む。さらに、ステップ１０において基準標５，６の位置（座標）が初期値（ＳＰ）の許容範囲内でなければステップ１８へ進み、位置照合結果を登録するメモリにＮＧが登録されているかを照合する（ステップ１８）。ＮＧが登録されていればシステム異常（２回連続して位置の照合に不合格のため）と判断する（ステップ１９）。ＮＧが登録されていなければシステムの健全性の判断を保留し、それ以降の処理をスキップして次のサイクルへ進む。そしてシステムの健全性の判断を保留し、これ以降のサイクルに委ねる。前記のようにしてレベル差の照合がＮＧの場合、それ以前の直近のサイクルにおいても照合ＮＧの場合に、システム異常と判断する。
【００５３】
前記のようにしてＯＮ制御時の反射レベルＨとＯＦＦ制御時の反射レベルＬとの差Ｄを初期値ＳＤと比較し、許容範囲外の場合にシステム異常と判断し、照合ＮＧが、２回連続した場合にシステム異常と判断する。ＯＮ（大）制御時、ＯＦＦ（小）制御時の反射レベルは、それぞれ、濃霧などの周囲環境により変化するが、大小の差（幅）は、環境変化があっても一定であるため、健全性照合の閾値として、大小（強弱）の差を採用することにより、周囲環境の影響を受けないメリットがある。しかも、大小（強弱）の差を採用することにより周囲環境の影響を受けないので、あえて移動平均をとることは必須ではない。  
【００５４】
また、スキャンニングの度に、物体検知センサ２から得られる基準標５，６に関する位置（座標）を初期値と比較し、許容範囲内でなければ物体検知センサ２の取付け位置や角度が、初期値からズレたと判断する。ズレた状態では、検知エリアが狂うことになり、踏切道上にある障害物を、エリア外に存在するものとして検知対象から排除することになり危険であるが、このような事態を防止できる。
【００５５】
なお、前記したように基準標５，６の位置（座標）の初期値との照合の場合には、採用された反射光ＨあるいはＬから得られた、基準標の位置（座標）と、初期値と設定して記憶している位置（座標）と比較し、許容範囲内であることを照合し、照合の対象の位置（座標）は、基準標５，６の水平方向の両端の２カ所あり、１カ所でも照合ＮＧの場合は、システム異常と判断する。
【００５６】
前記したように、反射率、発光量の変化制御に応じた基準標からの反射レベルの追従性の照合、あるいは反射率、発光量の変化制御に応じた基準標からの反射レベルのレベル差の初期値との照合、及び基準標の位置（座標）の初期値との照合、のいずれかの照合にＮＧの場合には、システムの異常と判断し、その旨を、障害物判定論理部１０に通知する。この通知を受けた障害物判定論理部１０は、「障害物あり」として、前記特殊信号発光器に停止信号を現示し、安全側に遷移する。
【００５７】
前記のようにフェールセーフ判定論理部１１の論理をＯＮ（大）制御時、ＯＦＦ（小）制御時における処理により行い、該処理を通して踏切障害物検知装置１のフェールセーフ性を確保するものである。
【００５８】
なお、前記実施の形態は、あくまでも好ましい一例であり、この発明は特許請求の範囲に記載した範囲内であれば細部の設計等は任意に変更、修正が可能であることは言うまでもない。例えば、物体検知センサ２として、２次元レーザレーダを例示したが、３次元にスキャンニング投受光して、物体を立体的に検知する３次元レーザーレーダとしてもよい。また、基準標５，６などの設置位置も、図示した位置以外としてもよい。
【符号の説明】
【００５９】
１  踏切障害物検知装置
２  物体検知センサ
３  障害物検知論理部
５  基準標（第１の基準標）
６  基準標（第２の基準標）
７  ケーブル
１０  障害物判定論理部
１１  フェールセーフ判定論理部
【図１】
0006695169.tif 000002
【図２】
0006695169.tif 000003
【図３】
0006695169.tif 000004
【図４】
0006695169.tif 000005
【図５】
0006695169.tif 000006
【図６】
0006695169.tif 000007
【図７】
0006695169.tif 000008
【図８】
0006695169.tif 000009
【図９】
0006695169.tif 000010